(57)【要約】【課題】  増設される太陽電池パネルのための架台を提供する【解決手段】  太陽光発電所に増設される太陽電池パネルのための増設用架台は、太陽光発電所において太陽電池パネルを支持する既存の架台に連結され、その重量の少なくとも一部が既存の架台によって支持される。このような構成によると、増設用架台を簡素に構成することができるので、増設用架台の製作や設置に必要とされるコストや時間を削減することができる。【選択図】図３
2019092360.tif 000002
【特許請求の範囲】
【請求項１】
太陽光発電所に増設される太陽電池パネルのための増設用架台であって、
前記太陽光発電所において太陽電池パネルを支持する既存の架台に連結され、その重量の少なくとも一部が前記既存の架台によって支持される、増設用架台。
【請求項２】
前記増設される太陽電池パネルに沿って延びる梁を有し、前記梁の一端は前記既存の架台に連結される、請求項１に記載の増設用架台。
【請求項３】
前記梁を支持する支柱をさらに有する、請求項２に記載の増設用架台。
【請求項４】
前記梁の他端は、前記既存の架台に隣接する他の既存の架台に連結される、請求項２又は３に記載の増設用架台。
【請求項５】
前記既存の架台のみによって支持され、地面に固定される支柱を有さない、請求項１又は２に記載の増設用架台。
【請求項６】
前記既存の架台の前方又は後方に配置される、請求項１から５のいずれか一項に記載の増設用架台。
【請求項７】
前記既存の架台の側方に配置される、請求項１から５のいずれか一項に記載の増設用架台。
【請求項８】
太陽光発電所に太陽電池パネルを増設する方法であって、
前記太陽光発電所に、請求項１から７のいずれか一項に記載の増設用架台を設置する工程を備える方法。
【発明の詳細な説明】
【技術分野】
【０００１】
本明細書が開示する技術は、太陽光発電に関し、特に、太陽光発電所に太陽電池パネルを増設する技術に関する。
【背景技術】
【０００２】
再生可能エネルギーの導入が進められており、これまでに多くの太陽光発電所が建設されている。太陽光発電所では、複数の太陽電池パネルが、間隔を空けて配置されており、各々の太陽電池パネルは、地面に固定された架台によって支持されている。これに関して、特許文献１には、既存の太陽光発電所に太陽電池パネルを増設するための技術が開示されている。この技術では、隣接する二つの架台の間のスペースに、新たな太陽発電パネルを設置する。
【先行技術文献】
【特許文献】
【０００３】
【特許文献１】特許第６０４５７４１号公報
【発明の概要】
【発明が解決しようとする課題】
【０００４】
隣接する二つの架台の間のスペースは、太陽電池パネルの陰となり得るスペースであり、そこに太陽電池パネルを設置したとしても、既存の太陽電池パネルのような発電能力は期待できない。しかしながら、そのような陰となり得るスペースでも、季節によっては十分な日照量が得られることから、そこへ太陽電池パネルを設置することによって、新たな土地の取得や造成を必要とすることなく、太陽光発電所の発電能力を有意に向上させることができる。この点において、特許文献１の技術は有用であるが、増設される太陽電池パネルのための架台については、依然として改善の余地がある。本明細書は、増設される太陽電池パネルのための改善された架台を提供する。
【課題を解決するための手段】
【０００５】
本明細書は、太陽光発電所に増設される太陽電池パネルのための増設用架台を開示する。この増設用架台は、太陽光発電所において太陽電池パネルを支持する既存の架台に連結され、その重量の少なくとも一部が既存の架台によって支持される。このような構成によると、増設用架台を簡素に構成することができるので、増設用架台の製作や設置に必要とされるコストや時間を削減することができる。特に、地面に立設される支柱の数を削減することで、設置に必要とされるコストや時間を大きく削減することができる。なお、増設用架台は、工場等で予め組み立てられてもよいし、増設現場である太陽光発電所で組み立てられてもよい。
【図面の簡単な説明】
【０００６】
【図１】太陽光発電所１０を模式的に示す側面図であって、太陽電池パネル１１２が増設される前の状態を示す。
【図２】太陽光発電所１０を模式的に示す平面図であって、太陽電池パネル１１２が増設される前の状態を示す。
【図３】太陽光発電所１０を模式的に示す側面図であって、実施例１の増設用架台１２０を用いて太陽電池パネル１１２が増設された後の状態を示す。
【図４】太陽光発電所１０を模式的に示す平面図であって、実施例１の増設用架台１２０を用いて太陽電池パネル１１２が増設された後の状態を示す。
【図５】太陽光発電所１０を模式的に示す側面図であって、実施例２の増設用架台２２０を用いて太陽電池パネル２１２が増設された後の状態を示す。
【図６】太陽光発電所１０を模式的に示す平面図であって、実施例２の増設用架台２２０を用いて太陽電池パネル２１２が増設された後の状態を示す。
【図７】太陽光発電所１０を模式的に示す側面図であって、実施例３の増設用架台３２０を用いて太陽電池パネル３１２が増設された後の状態を示す。
【図８】太陽光発電所１０を模式的に示す平面図であって、実施例３の増設用架台３２０を用いて太陽電池パネル３１２が増設された後の状態を示す。
【図９】太陽光発電所１０を模式的に示す側面図であって、実施例４の増設用架台４２０を用いて太陽電池パネル４１２が増設された後の状態を示す。
【図１０】太陽光発電所１０を模式的に示す平面図であって、実施例４の増設用架台４２０を用いて太陽電池パネル４１２が増設された後の状態を示す。
【発明を実施するための形態】
【０００７】
本技術の一実施形態では、増設用架台が、増設される太陽電池パネルに沿って延びる梁を有するとよい。この場合、梁の一端は既存の架台に連結されるとよい。梁の一端が既存の架台によって支持されることで、梁を支持するための支柱の数を削減することができる。
【０００８】
上記した実施形態では、増設用架台が、梁を支持する支柱をさらに有してもよい。即ち、太陽電池パネルに沿って延びる梁が、既存の架台と、新たな支柱との両者によって支持されるとよい。このような構成によると、太陽電池パネルに沿って延びる梁を強固に固定することができる。
【０００９】
上記に代えて、又は加えて、梁の他端が、隣接する他の既存の架台に連結されてもよい。即ち、梁の両端が、既存の二つの架台にそれぞれ連結されてもよい。このような構成によると、梁を支持するための支柱が必ずしも必要とされないので、増設用架台の設置をさらに容易にすることができる。但し、例えば梁の中間位置を支柱で支えるといったように、必要に応じて支柱を設けてもよい。
【００１０】
本技術の一実施形態では、増設用架台が、既存の架台のみによって支持され、地面に固定される支柱を有さなくてもよい。このような構成は、比較的に小型の増設用架台において有効であり、地面に支柱を立設する必要がないので、設置に必要とされるコストや時間を削減することができる。
【００１１】
本技術の一実施形態では、増設用架台が、既存の架台の前方又は後方に配置されるとよい。従来の太陽光発電所では、各々の太陽電池パネルがその前方に位置する他の太陽電池パネルの陰とならないように、架台の前方又は後方に十分なスペースが設けられている。従って、そのようなスペースに増設用架台を設けることで、比較的に多く太陽電池パネルを増設することができる。なお、前述したように、そのような陰となり得るスペースでも、季節によっては十分な日照量が得られることから、そこへ太陽電池パネルを設置することによって、新たな土地の取得や造成を必要とすることなく、太陽光発電所の発電能力を有意に向上させることができる。
【００１２】
上記に代えて、増設用架台は、既存の架台の側方に配置されてもよい。なお、本明細書では、架台の前方、後方及び側方を、架台に支持された太陽電池パネルの傾斜方向を基準として定義する。即ち、架台に支持された太陽電池パネルが下方へ傾斜していく方向を架台の前方とし、その反対方向（即ち、太陽電池パネルが上方へ傾斜していく方向）を架台の後方とし、前方及び後方に垂直な方向を側方とする。
【実施例】
【００１３】
（実施例１）  図面を参照して、実施例１の増設用架台１２０について説明する。増設用架台１２０は、既設の太陽光発電所１０に増設される太陽電池パネル１１２のための架台である。図１、図２は、太陽電池パネル１１２が増設される前の既設の太陽光発電所１０を示し、図３、図４は、太陽電池パネル１１２が増設された後の太陽光発電所１０を示す。図１、図２に示すように、既設の太陽光発電所１０では、複数の太陽電池パネル１２が、間隔を空けて配置されており、各々の太陽電池パネル１２は、地面に固定された架台２０によって支持されている。各々の架台２０では、太陽電池パネル１２が太陽を向くように、太陽電池パネル１２が傾斜して配置されている。
【００１４】
一例であるが、本実施例における既存の架台２０は、太陽電池パネル１２に沿って延びる複数の梁２２と、それらの梁２２を支持する複数の支柱２４と、梁２２と支柱２４との間に設けられた補強用の方杖２６とを有する。複数の梁２２には、太陽電池パネル１２を保持する複数のレール２８が設けられている。なお、既存の架台２０の具体的な構成は特に限定されない。例えば、既存の架台２０は、その他の梁、支柱、方杖、筋交などを有してもよいし、例えば太陽電池パネル１２の傾斜角度を調整し得る可動機構などを有してもよい。
【００１５】
既設の太陽光発電所１０において、隣接する二つの架台２０の間のスペースＳＰは、太陽電池パネル１２の陰となり得るスペースである。しかしながら、前述したように、そのようなスペースＳＰであっても、季節によっては十分な日照量が得られる。よって本実施例では、図３、図４に示すように、既存の架台２０の前方に存在するスペースＳＰに、増設用架台１２０を設置することによって、新たな太陽電池パネル１１２を増設する。これにより、新たな土地の取得や造成を必要とすることなく、太陽光発電所１０の発電能力を有意に向上させることができる。
【００１６】
図３、図４に示すように、増設用架台１２０は、既存の架台２０の前方に配置され、新たな太陽電池パネル１１２を支持する。ここで、増設用架台１２０は、既存の架台２０に連結されており、その重量の一部が既存の架台２０によって支持される。具体的には、増設用架台１２０は、太陽電池パネル１１２に沿って延びる複数の梁１２２と、それらの梁１２２を支持する複数の支柱１２４と、新たな太陽電池パネル１１２を保持する複数のレール１２８とを有する。増設用架台１２０においても、新たな太陽電池パネル１１２は、傾斜するように配置されている。ここで、既存の架台２０における太陽電池パネル１２の傾斜角度Ｃ１と、増設用架台１２０における太陽電池パネル１１２の傾斜角度Ｃ２は、同じであってもよいし、互いに異なってもよい。
【００１７】
この増設用架台１２０では、梁１２２の一端が、既存の架台２０に連結されており、梁１２２の他端が、地面に立設された支柱１２４で支持されている。このように、梁１２２の一端を既存の架台２０で支持する構造であると、梁１２２を支持するための支柱１２４の数を削減することができる。即ち、図３、図４に示すように、既存の架台２０で支持された梁１２２の一端側には、支柱１２４を設ける必要がない。梁１２２の他端側にのみ支柱１２４を設けるだけで、梁１２２は強固に固定される。
【００１８】
なお、増設用架台１２０は、梁１２２とは異なる他の部分において、既存の架台２０に連結されてもよい。このような構成であっても、必要とされる支柱１２４の数を削減することができる。また、梁１２２（又はその他の部分）を既存の架台２０に連結する構造については特に限定されず、例えば溶接によって連結されてもよいし、ボルト又はその他の金具を用いて連結されてもよい。一例ではあるが、本実施例では、増設用架台１２０の梁１２２が、既存の架台２０の梁２２に連結されており、それらの梁２２、１２２は同じ断面形状を有する棒材（例えば型鋼やアルミパイプ）が採用されている。但し、二つの梁２２、１２２は、互いに異なる形状を有してもよいし、互いに異なる材料で構成されていてもよい。
【００１９】
以上説明したように、本実施例の増設用架台１２０は、既存の架台２０に連結され、その重量の一部が既存の架台２０によって支持される。このような構成によると、増設用架台１２０を簡素に構成することができるので、増設用架台１２０の製作や設置に必要とされるコストや時間を削減することができる。特に、地面に立設される支柱１２４の数が削減されることで、設置に必要とされるコストや時間を大きく削減することができる。
【００２０】
（実施例２）  図５、図６を参照して、実施例２の増設用架台２２０について説明する。本実施例の増設用架台２２０は、実施例１の増設用架台１２０と同様に、既設の太陽光発電所１０に増設される太陽電池パネル２１２のための架台である。この増設用架台２２０においても、既存の架台２０に連結され、その重量の一部が既存の架台２０によって支持される。但し、本実施例の増設用架台２２０は、既存の架台２０の後方に設置されるように構成されており、この点において実施例１の増設用架台１２０とは異なる。
【００２１】
増設用架台２２０は、既存の架台２０に連結されており、その重量の一部が既存の架台２０によって支持される。具体的には、増設用架台２２０は、太陽電池パネル２１２に沿って延びる複数の梁２２２と、それらの梁２２２を支持する複数の支柱２２４と、新たな太陽電池パネル２１２を保持する複数のレール２２８とを有する。増設用架台２２０においても、新たな太陽電池パネル２１２は、傾斜するように配置されている。太陽電池パネル２１２の傾斜角度については特に限定されない。
【００２２】
この増設用架台２２０では、梁２２２の一端が、既存の架台２０に連結されており、梁２２２の他端が、地面に立設された支柱２２４で支持されている。このように、梁２２２の一端を既存の架台２０で支持する構造であると、梁２２２を支持するための支柱２２４の数を削減することができる。この点については、実施例１の増設用架台１２０と同様であり、必要な支柱２２４の数が削減されることによって、設置に必要とされるコストや時間を大きく削減することができる。
【００２３】
本実施例の増設用架台２２０は、既存の架台２０の後方に設置される。このような構成によっても、隣接する二つの架台２０の間のスペースＳＰを有効に活用して、新たな太陽電池パネル２１２を増設することができる。これにより、新たな土地の取得や造成を必要とすることなく、太陽光発電所１０の発電能力を有意に向上させることができる。なお、実施例１、２の構成は、増設用架台１２０、２２０が既存の架台２０の前方や後方に配置される場合に限られず、既存の架台２０の側方に配置される場合にも有効に採用することができる。
【００２４】
（実施例３）  図７、図８を参照して、実施例３の増設用架台３２０について説明する。本実施例の増設用架台３２０は、実施例１の増設用架台１２０と同様に、既設の太陽光発電所１０に増設される太陽電池パネル３１２のための架台であり、前後に隣接する二つの既存の架台２０の間に設置される。
【００２５】
但し、本実施例の増設用架台３２０は、一つの既存の架台２０だけでなく、隣接する二つの既存の架台２０のそれぞれに連結されており、その重量の全部が既存の架台２０によって支持されている。具体的には、増設用架台３２０は、太陽電池パネル３１２に沿って延びる複数の梁３２２と、新たな太陽電池パネル３１２を保持する複数のレール３２８とを有する。増設用架台１２０においても、新たな太陽電池パネル３１２は、傾斜するように配置されている。そして、梁３２２の一端は、隣接する二つの既存の架台２０の一方に連結されており、梁３２２の他端は、隣接する二つの既存の架台２０の他方に連結されている。
【００２６】
本実施例の構成によっても、前後に隣接する二つの架台２０の間のスペースＳＰを有効に活用して、新たな太陽電池パネル３１２を増設することができる。これにより、新たな土地の取得や造成を必要とすることなく、太陽光発電所１０の発電能力を有意に向上させることができる。また、二つの架台２０に連結されることから、梁３２２を支持するための支柱が必ずしも必要とされず、増設用架台３２０の設置をさらに容易にすることができる。但し、他の実施形態として、例えば梁３２２の中間位置を支柱で支えるといったように、必要に応じて支柱を設けてもよい。
【００２７】
本実施例の構成は、増設用架台３２０が、前後に隣接する二つの既存の架台２０の間に配置される場合に限られず、左右に隣接する二つの既存の架台２０の間に配置される場合にも、有効に採用することができる。
【００２８】
（実施例４）  図９、図１０を参照して、実施例４の増設用架台４２０について説明する。本実施例の増設用架台４２０は、実施例１の増設用架台１２０と同様に、既設の太陽光発電所１０に増設される太陽電池パネル４１２のための架台であって、既存の架台２０の前方に設置される。これにより、前後に隣接する二つの既存の架台２０の間のスペースＳＰを有効に活用して、新たな太陽電池パネル４１２を増設することができる。
【００２９】
但し、本実施例の増設用架台４２０は、既存の架台２０のみによって支持されており、地面に固定される支柱を有しておらず、この点において実施例１の増設用架台１２０とは相違する。具体的には、増設用架台４２０は、太陽電池パネル４１２に沿って延びる複数の梁４２２と、それらの梁４２２を支持する複数の方杖４２６と、新たな太陽電池パネル４１２を保持する複数のレール４２８とを有する。梁４２２の一端は、既存の架台２０に連結されている。そして、方杖４２６は、増設用架台４２０の梁４２２と、既存の架台２０の支柱２４との間に設けられており、増設用架台４２０の梁４２２を支持している。
【００３０】
本実施例の構成によると、実施例３の増設用架台４２０と同様に、梁４２２を支持するための支柱が必ずしも必要とされず、増設用架台４２０の設置をさらに容易にすることができる。このような構成は、比較的に小型の増設用架台４２０において特に有効に採用することができる。また、本実施例の構成は、増設用架台４２０が既存の架台２０の前方に配置される場合に限られず、既存の架台２０の後方や側方に配置される場合にも有効に採用することができる。
【００３１】
以上、いくつかの具体例を詳細に説明したが、これらは例示に過ぎず、特許請求の範囲を限定するものではない。特許請求の範囲に記載の技術には、以上に例示した具体例を様々に変形、変更したものが含まれる。本明細書又は図面に説明した技術要素は、単独であるいは各種の組合せによって技術的有用性を発揮するものである。
【符号の説明】
【００３２】
１０：太陽光発電所
１２、１１２、２１２、３１２、４１２：太陽電池パネル
２０：既存の架台
１２０、２２０、３２０、４２０：増設用架台
２２、１２２、２２２、３２２、４２２：梁
２４、１２４、２２４：支柱
２６、４２６：方杖
１２８、２２８、３２８、４２８：レール
Ｃ１、Ｃ２：傾斜角度
【図１】
2019092360.tif 000003
【図２】
2019092360.tif 000004
【図３】
2019092360.tif 000005
【図４】
2019092360.tif 000006
【図５】
2019092360.tif 000007
【図６】
2019092360.tif 000008
【図７】
2019092360.tif 000009
【図８】
2019092360.tif 000010
【図９】
2019092360.tif 000011
【図１０】
2019092360.tif 000012